(57)【要約】【課題】本発明は、個別濾液量を測定する濾過膜モジュールのみの濾液を流す個別濾液量測定用集合管を設け、夫々の濾過膜モジュールの濾液配管を前記個別濾液量測定用集合管に接続した構造とすることで、濾過膜モジュールの個別濾液量の正確な測定が可能な濾液配管構造を提供することを目的とする。【解決手段】濾過膜モジュール１の濾液出口からの濾液配管２を分岐し、その分岐した配管を個別濾液量測定用集合管９に接続し、個別濾液量を測定する濾過膜モジュール１のみの濾液を前記個別濾液量測定用集合管に流して個別濾液量を測定する濾液配管構造とする。【選択図】  なし【特許請求の範囲】
【請求項１】
２以上に配列された濾過膜モジュールの濾液配管が、濾過膜モジュールの濾液出口から濾液集合管に至る前に備わる弁までの間で分岐しており、その分岐した配管が弁を介して個別濾液量測定用集合管に接続されていることを特徴とする濾過膜モジュールの濾液配管構造。
【請求項２】
２以上に配列された濾過膜モジュールでかつ濾液出口を２ヶ所有する濾過膜モジュールの各々の濾液出口の濾液配管において、一方は濾液出口から弁を介して濾液集合管に接続されており、もう一方は濾液出口から弁を介して個別濾液量測定用集合管に接続されていることを特徴とする濾過膜モジュールの濾液配管構造。
【発明の詳細な説明】
【０００１】
【発明の属する技術分野】
本発明は、濾過装置に２以上に配列された濾過膜モジュールの個別濾液量を測定するために有効な濾過膜モジュールの濾液配管構造に関するものである。
【０００２】
【従来の技術】
濾過装置に２以上に配列された濾過膜モジュールは定期的に個別濾液量の測定がなされ、濾液量の低下している濾過膜モジュールは交換される。
従来の濾過膜モジュールの濾液配管構造について図３を用いて説明する。図３において、濾過膜モジュール１の濾液配管２は手動弁２ａを介して濾液集合管３に接続されており、濾液集合管３は全体濾液量測定用流量計１１を介して濾液タンク１２に接続されている（例えば、非特許文献１参照。）。
【０００３】
なお、通常、全体濾液量測定用流量計１１は濾液集合管に常設されており、通液するのみで流量の計測が可能な面積式流量計を用いている。
このような濾液配管構造において濾過膜モジュールの個別濾液量を測定する場合は、例えば全ての濾過膜モジュールの濾液配管２に設けられた手動弁２ａを開き全体濾液量測定用流量計１１を用いて測定した全体濾液量の値と個別濾液量を測定しようとする濾過膜モジュールの濾液配管２に設けられた手動弁２ａのみを閉め全体濾液量測定用流量計１１を用いて測定した全体濾液量の値の差を、該手動弁２ａを閉めた濾過膜モジュールの個別濾液量としていた。
或いは、個別濾液量を測定しようとする濾過膜モジュールの濾液配管２に設けられた手動弁２ａのみを開きその他の濾過膜モジュールの濾液配管２に設けられた手動弁２ａを閉め全体濾液量測定用流量計１１で測定した値を、該手動弁２ａを開いた濾過膜モジュールの個別濾液量としていた。
【０００４】
【非特許文献１】
清水博、西村正人監修「最新の膜処理技術とその応用」（株）フジ・テクノシステム出版、１９８４年８月１日、ｐ１４９、図−２
【０００５】
【発明が解決しようとする課題】
しかしながら、前述の操作及び図３に示した濾液配管構造で濾過膜モジュールの個別濾液量を測定すると、面積式の全体濾液量測定用流量計１１では測定目盛り幅や測定目盛り範囲により濾過膜モジュールの個別濾液量が正確に測定できないという問題があった。例えば濾液量の差が全体濾液量測定用流量計１１の最小目盛り幅より小さいときには濾液量の差を精度良く読み取ることが難しいという問題や濾過膜モジュールの個別濾液量が全体濾液量測定用流量計１１の測定目盛り範囲の最小値以下の場合は濾過膜モジュールの個別濾液量が測定できないという問題があった。
【０００６】
また、全体濾液量測定用流量計を用いて個別濾液量を正確に測定するには例えば全体濾液測定用流量計を電磁式流量計等の電気的な信号を用いた精度の高い流量計に変更する必要があった。一般的に前記電磁式流量計等は面積式流量計に比べ高価であり、また、前記電磁式流量計等に変更した場合は接続する電気配線や構成する電気部品の点数が多くなる。従って前記電磁式流量計等とそれを構成する電気部品を購入する費用や装置製作に係る工数が増大するという問題があった。
【０００７】
本発明は、上記課題を解決するためになされたものであり、個別濾液量を測定する濾過膜モジュールのみの濾液を流す個別濾液量測定用集合管を設け、夫々の濾過膜モジュールの濾液配管から分岐させた新たな濾液配管を前記個別濾液量測定用集合管に接続した構造とする、或いは夫々の濾過膜モジュールの濾液配管を直に前記個別濾液量測定用集合配管に接続した構造とすることで、濾過膜モジュールの個別濾液量を測定する場合は個別濾液量を測定する濾過膜モジュールの濾液配管に設けられた手動弁を操作し該濾過膜モジュールのみの濾液を前記個別濾液量測定用集合管に流すことができ、全体濾液量測定用流量計の測定目盛り幅や測定目盛り範囲に関係なく、また、全体濾液量測定用流量計を高価な電磁流量計等に変更し電気配線や構成する電気部品の点数を増加させ、構成機器の購入費用や装置製作に係る工数を増大させることなく濾過膜モジュールの個別濾液量の正確な測定が可能な濾液配管構造を提供することを目的とする。
【０００８】
【課題を解決するための手段】
本発明者は前記目的を達成するため新規な濾過膜モジュールの濾液配管構造を見出し、本発明をなすに至った。即ち、本発明は、１）２以上に配列された濾過膜モジュールの濾液配管が、濾過膜モジュールの濾液出口から濾液集合管に至る前に備わる弁までの間で分岐しており、その分岐した配管は弁を介して個別濾液量測定用集合管に接続されていることを特徴とする濾過膜モジュールの濾液配管構造、２）２以上に配列された濾過膜モジュールでかつ濾液出口を２ヶ所有する濾過膜モジュールの各々の濾液出口の濾液配管において、一方は濾液出口から弁を介して濾液集合管に接続されており、もう一方は濾液出口から弁を介して個別濾液量測定用集合管に接続されていることを特徴とする濾過膜モジュールの濾液配管構造である。
【０００９】
本発明における濾過膜モジュールとは、後述する濾過膜をハウジングに収めた構造を有しており、該ハウジングは原液を導入する原液入口と原液を排出する原液出口を夫々１ヶ所有し、濾液出口は１ヶ所、或いは２ヶ所有している。濾過膜は、中空糸状の限外濾過膜、或いは精密濾過膜等を用いることができ特に限定されない。本発明の２以上に配列された濾過膜モジュールとは、上記濾過膜モジュールを使用した濾過装置において、２基以上の濾過膜モジュールが向きを揃えて規則的に配置され配管に接続されている状態のことである。また本発明で用いる弁とは、配管に接続することで配管中の流体を任意で通液および遮断できる機能を有した機器で、手動操作により流体の通液および遮断の操作が可能な弁としては例えば手動弁がある。
【００１０】
本発明によれば、濾過膜モジュールの個別濾液量を測定する場合は個別濾液量を測定する濾過膜モジュールの濾液配管に設けられた手動弁を操作し該濾過膜モジュールのみの濾液を個別濾液量測定用集合管に流して個別濾液量を測定することができるため、全体濾液量測定用流量計の測定目盛り幅や測定目盛り範囲に関係なく、また、全体濾液量測定用流量計を電磁流量計等に変更し電気配線や構成する電気部品の点数を増加させ、構成機器の購入費用や装置製作に係る工数を増大させることなく濾過膜モジュールの個別濾液量の正確な測定ができる。
また、個別濾液量測定用集合管は濾過膜モジュールの個別濾液量を測定した際の該濾過膜モジュールの個別濾液が濾液タンクに導かれ貯蔵されるように接続すると濾液の損失を防ぐことができるので好ましい。
【００１１】
【発明の実施の形態】
図により本発明に係る濾過膜モジュールの配管構造の一実施形態を具体的に説明する。図１及び図２は本発明に係る濾過膜モジュールの配管構造の例を示す模式図である。
本発明に係る濾過膜モジュールの濾液配管構造は、例えば、電着塗料や電着塗装後の純水による洗浄排水（以下、電着塗料の純水洗水と称す）等を原液とし、その原液を循環しながら濾過を行うクロスフロー型の精密濾過装置或いは限外濾過装置において、前記濾過装置が殆ど停止することなく運転されており、また前記濾過装置に濾過膜モジュールを洗浄するための機能が備わっておらず、更に前記濾過装置に装着されている２以上の濾過膜モジュールの交換時期が夫々異なり、夫々の濾過膜モジュールの交換時期を判断するために個別濾液量の測定が必要な場合に有用なものである。
本発明を実施例に基づいて説明する。
【００１２】
【実施例１】
図１のように、限外濾過膜モジュール（旭化成株式会社製、限外濾過膜モジュール、ＥＣＳ−３０１０）１を３０本並べて濾過装置に設置した。各々の濾過膜モジュール１は一方の濾液出口から濾液集合管３に至る濾液配管２に備わる手動弁２ａまでの間で分岐して、その分岐した濾液配管４は手動弁４ａを介して個別濾液量測定用集合管９に接続した。各々の濾過膜モジュール１のもう一方の濾液出口は封止板により封じた。
【００１３】
そして、図示しない循環ポンプにより原液となる電着塗料の純水洗水を原液供給集合管５に接続した原液配管６を介して各濾過膜モジュール１へ供給し、濾過膜モジュール１内の中空糸状膜により濾過した。濾液は濾液配管２及び手動弁２ａを介して濾液集合管３へ流し、全体濾液量測定用流量計（流体工業株式会社製、面積式流量計、ＧＴＦ−２、測定目盛り幅５リットル／分、測定目盛り範囲２５〜２５０リットル／分）１１を介して濾液タンク１２に貯蔵した。
【００１４】
一方、原液配管６を介して濾過膜モジュール１に供給された電着塗料の純水洗水の一部は循環戻り液として濾過膜モジュール１の中空糸状膜の内側を流通して原液戻り配管７を介して原液戻り集合管８へ流れ、図示しない循環ポンプまたは原液タンクへ戻るようにした。
【００１５】
濾過膜モジュールの個別濾液量を測定する場合は、個別濾液量を測定する濾過膜モジュール１の濾液出口から濾液集合管３に至る濾液配管２に備わる手動弁２ａを閉め、濾液配管２が濾液集合管３に至る前に備わる手動弁２ａまでの間で分岐した濾液配管４と個別濾液量測定用集合管９に至る前に備わる手動弁４ａを開け、個別濾液量測定用集合管９及び個別濾液量測定用流量計（流体工業株式会社製、面積式流量計、ＧＤＦ−２、測定目盛り幅１リットル／分、測定目盛り範囲２〜２０リットル／分）１０に個別濾液量を測定する濾過膜モジュール１のみの濾液を流して個別濾液量を測定した。前述の個別濾液量測定用集合管９は個別濾液量測定用流量計１０を介して濾液タンク１２に接続されており、前記濾過膜モジュール１の個別濾液は個別濾液量測定用集合管９及び個別濾液量測定用流量計１０を流れて濾液タンク１２に導かれ貯蔵された。同様の操作を各々の濾過膜モジュールに対して実施し、５本の濾過膜モジュールの個別濾液量を測定した。
【００１６】
【実施例２】
図２のように、濾液出口を各々に２ヶ所有する限外濾過膜モジュール（旭化成株式会社製、限外濾過膜モジュール、ＥＣＳ−３０１０）１を３０本並べて濾過装置に設置した。各々の濾過膜モジュール１の濾液出口において、一方は濾液出口からの濾液配管２を手動弁２ａを介して濾液集合管３に接続し、もう一方は濾液出口からの濾液配管１３を手動弁１３ａを介して個別濾液量測定用集合管９に接続した。
【００１７】
そして、図示しない循環ポンプにより実施例１と同様の原液を原液供給集合管５に接続した原液配管６を介して各濾過膜モジュール１へ供給し、濾過膜モジュール１内の中空糸状膜により濾過した。濾液は濾液配管２及び手動弁２ａを介して濾液集合管３へ流し、全体濾液量測定用流量計（実施例１と同様の流量計）１１を介して濾液タンク１２に貯蔵した。
一方、原液配管６を介して濾過膜モジュール１に供給された実施例１と同様の原液の一部は循環戻り液として濾過膜モジュール１の中空糸状膜の内側を流通して原液戻り配管７を介して原液戻り集合管８へ流れ、図示しない循環ポンプまたは原液タンクへ戻るようにした。
【００１８】
濾過膜モジュールの個別濾液量を測定する場合は、個別濾液量を測定する濾過膜モジュール１の一方の濾液出口から濾液集合管３に至る濾液配管２に備わる手動弁２ａを閉め、濾過膜モジュール１のもう一方の濾液出口からの個別濾液量測定用集合管９に至る濾液配管１３に備わる手動弁１３ａを開け、個別濾液量測定用集合管９及び個別濾液量測定用流量計（実施例１と同様の流量計）１０に個別濾液量を測定する濾過膜モジュール１のみの濾液を流して個別濾液量を測定した。前述の個別濾液量測定用集合管９は個別濾液量測定用流量計１０を介して濾液タンク１２に接続されており、前記濾過膜モジュール１の個別濾液は個別濾液量測定用集合管９及び個別濾液量測定用流量計１０を流れて濾液タンク１２に導かれ貯蔵された。同様の操作を各々の濾過膜モジュールに対して実施し、５本の濾過膜モジュールの個別濾液量を測定した。
【００１９】
【発明の効果】
本発明は、個別濾液量を測定する濾過膜モジュールのみの濾液を流す個別濾液量測定用集合管を設け、夫々の濾過膜モジュールの濾液配管から分岐させた新たな濾液配管を弁を介して前記個別濾液量測定用集合管に接続した構造とする、或いは夫々の濾過膜モジュールの濾液配管を弁を介して前記個別濾液量測定用集合配管に接続した構造とすることで、濾過膜モジュールの個別濾液量を測定する場合は個別濾液量を測定する濾過膜モジュールのみの濾液を濾液配管に設けられた弁を操作し該濾過膜モジュールのみの濾液を前記個別濾液量測定用集合管に流すことができ、全体濾液量測定用流量計の測定目盛り幅や測定目盛り範囲に関係なく、また、全体濾液量測定用流量計を高価な電磁流量計等に変更し電気配線や構成する電気部品の点数を増加させ、構成機器の購入費用や装置製作に係る工数を増大させることなく濾過膜モジュールの個別濾液量の正確な測定が可能な濾液配管構造を提供することができる。
【図面の簡単な説明】
【図１】本発明に係る濾過膜モジュールの配管構造の１例を示す模式図である。
【図２】本発明に係る濾過膜モジュールの配管構造の１例を示す模式図である。
【図３】従来例を説明する模式図である。
【符号の説明】
１・・・濾過膜モジュール
２・・・濾液配管
２ａ・・・手動弁
３・・・濾液集合管
４・・・濾液配管
４ａ・・・手動弁
５・・・原液供給集合管
６・・・原液配管
７・・・原液戻り配管
８・・・原液戻り集合管
９・・・個別濾液量測定用集合管
１０・・・個別濾液量測定用流量計
１１・・・全体濾液量測定用流量計
１２・・・濾液タンク
１３・・・濾液配管
１３ａ・・・手動弁
【図１】
2004313852.tif 000002
【図２】
2004313852.tif 000003
【図３】
2004313852.tif 000004